(57)【特許請求の範囲】
【請求項１】
トランク（３）内に、折畳まれたルーフ（２）を格納可能にし且つ同時に荷物を収納可能にするために前記トランク（３）のふた（１）を開けるための手段を装備した折畳式ルーフ（２）を備えたコンバーティブル型車の前記トランクのふた（１）であって、前記トランクのふた（１）を開けるための手段は、前記トランクのふた（１）を車体に固定すると共に、前記トランクのふた（１）を、後方から前方へと回動可能にさせ、且つ同時に、前方から後方に向けてスライド可能にさせる回動・スライド手段を有していることを特徴とするトランクのふた。
【請求項２】
前記トランクのふた（１）の前部（１ａ）が、前記トランク（３）の相対する側面に設置されたスライドガイド（４）に連結されてそれらに沿ってスライドし、前記トランクのふたの少なくとも１方の側方エッジが、タイロッド（５）の一方の端部に連結され、前記タイロッド（５）の他方の端部が、前記トランクの底に近接した車体の一部分に連結された、請求項１に記載のトランクのふた。
【請求項３】
前記トランクのふた（１）が、閉蓋位置、即ち、前記トランクのふたの連結部（７）が前記スライドガイド（４）の前端部にあって、タイロッド（５）が上方前方方向に傾斜している状態から開蓋位置、即ち、前記トランクのふたの連結部（７）が前記スライドガイド（４）の後端部にあって、前記タイロッド（５）が上方に伸びて、前記トランクのふたを上方並びに後方に傾いた状態に支持している状態へと移動可能である、請求項２に記載のトランクのふた。
【請求項４】
前方下方向に湾曲するグース・ネック型部材（８）の一端部が、前記トランクのふた（１）の前方エッジ（１ａ）の両端部に固定され、このグース・ネック型部材（８）の前記トランクのふたと反対側の端部に、近接する側の前記スライドガイド（４）内に係合するローラー（９）が取り付けられた、請求項２又は３に記載のトランクのふた。
【請求項５】
前記トランクのふた（１）が、電気的に又は油圧アクチュエータ（１０）の作用で開くことを特徴とする、請求項２、３又は４に記載のトランクのふた。
【請求項６】
前記アクチュエータ（１０）が、前記タイロッド（５）と前記トランクの底（６）に近い位置の車体の一部との間に配置されることを特徴とする、請求項５に記載のトランクのふた。
【請求項７】
前記トランクのふたが、その後部位置においてラッチ（１３）によって閉状態に保持されることを特徴とする、請求項１乃至６のいずれかに記載のトランクのふた。
【請求項８】
トランクと、前記トランク内の折畳位置に格納される折畳式ルーフを備えたコンバーティブル型自動車であって、前記自動車は、前記トランクのふたを閉蓋位置と開蓋位置との間でガイドする手段によってその車体に取り付けられる前記トランクのふたを備え、
前記トランクの相対する側面にスライドガイドが据え付けられ、前記トランクのふたはその前部の両側に、対応する前記スライドガイドに回動可能且つスライド可能に係合するふた連結手段を備え、
少なくとも１つのタイロッドの上端が、第１ロッド連結手段によって前記トランクのふたの対応する側方エッジに連結され、前記タイロッドの下端が、第２ロッド連結手段によって、前記トランクの底に近い位置の車体部分に連結され、
前記トランクのふたが閉蓋位置にあるとき、各ふた連結手段は対応する前記スライドガイドの前端部に位置して前記タイロッドはその下端から上方前方方向に傾斜状態となり、前記トランクのふたが開蓋位置にあるとき、各ふた連結手段は対応する前記スライドガイドの後端部に位置し、前記タイロッドはその下端から上方に伸びて、前記トランクのふたを上方並びに後方に傾いた状態に支持し、
以て、前記トランクのふたを開ける際に、前記トランクのふたが後方から前方へと回動すると同時に前方から後方に向けてスライドし、その開蓋位置において、前記トランク内に、折畳んだルーフが格納可能になると共に荷物の収納が可能になる、折畳式ルーフを備えたコンバーティブル型自動車。
【請求項９】
前記ふた連結手段はローラーで構成される、請求項８に記載の折畳式ルーフを備えたコンバーティブル型自動車。
【請求項１０】
前方下方向に湾曲するグース・ネック型部材が、前記トランクのふたの前方エッジの両端部に固定され、このグース・ネック型部材の前記トランクのふたとは反対側の端部において、近接する側のスライドガイド内に係合する対応する前記ふた連結手段を支持する、請求項８に記載の折畳式ルーフを備えたコンバーティブル型自動車。
【発明の詳細な説明】
【０００１】
【発明の属する技術分野】
本発明は折畳式ル−フを有するコンバ−ティブル型車のトランクのふたに関するものであって、当該トランクのふたは、一方において折畳式ル−フをトランクに格納するためにトランクを開ける手段と、他方において荷物をトランクに収納するためにトランクを開ける手段を有するものである。
【０００２】
【従来の技術】
一般に自動車のトランクのふたは、荷物を収納するに当たり、後方から前方に向かって開く。一方、コンバ−ティブル型車の折畳式ル−フを格納する場合は、トランクのふたは前方から後方に向かって開く必要があるが、この方式は荷物の収納には不便である。
【０００３】
従って、折畳式ル−フを有するコンバ−ティブル型車のトランクのふたとして、荷物収納時には後方から前方に向かって開き、折畳式ル−フ格納時には逆に前方から後方に向かって開くものが提唱されている。
【０００４】
【発明が解決しようとする課題】
しかるに、上記解決策はトランクのふたを複雑化するという問題がある。
そこで本発明の課題は、シンプルな構成であって、一方向にのみ開いて上記２つの機能、即ち、折畳式ル−フの格納と荷物の収納という２つの機能を好適に果たすことができるトランクのふたを提供することを課題とする。
【０００５】
【課題を解決するための手段】
本発明は、トランク（３）内に折畳まれたル−フ（２）を格納するためにトランクのふた（１）を開ける手段と、荷物を収納するためにトランクのふた（１）を開ける手段とを有する折畳式ル−フ（２）を備えたコンバ−ティブル型車のトランクのふたであって、前記トランクのふた（１）は、それを後方から前方に回動可能にさせると同時に、前方から後方に向けてスライド可能にさせる手段によって車体に固定されていることを特徴とするトランクのふた、を以て上記課題を解決した。
【０００６】
当該トランクのふたは、後方からトランク内に荷物を入れることができるように前方向に旋回し、また、トランクの前部に折畳まれたル−フを格納するスペ−スを開けるために後方にスライドする。
【０００７】
好ましい実施形態においては、トランクのふたの前部が、トランクの相対する側面に設置された２つのスライドガイドに連結されてそれらに沿ってスライドし、トランクのふたの少なくとも１つの横方向のエッジが、タイロッドの一方の端部に連結され、タイロッドの他方の端部は、トランクの底に近接した車体の一部に連結される。
【０００８】
また、好ましくはトランクのふたは、前記トランクのふたの連結部が前記スライドガイドの前端部にあって、前記タイロッドが上方並びに前方に傾いている閉蓋位置と、前記トランクのふたの連結部が前記スライドガイドの後端部にあって、前記タイロッドが上方に伸びてトランクのふたを上方並びに後方に傾いた状態に支持している開蓋位置との間を移動する。
【０００９】
本発明の有利な形態においては、前方下方向に湾曲するグ−ス・ネック型部材が、前記トランクのふたの前方エッジの両端に固定され、当該グ−ス・ネック型部材のトランクのふたと反対側の端部に、近接するスライドガイドに係合するロ−ラ−が取り付けられる。
【００１０】
【発明の実施の形態】
本発明の更に他の特徴及び利点は、下記説明によって一層明らかとなる。
添付図面中図１において、折畳式のル−フ２を備えたコンバ−ティブル型車のトランクのふた１は、折畳まれたル−フ２をトランク３に格納するためにトランクのふた１を開ける手段と、荷物を収納するためにトランクを開ける手段とを有する。
【００１１】
本発明によれば、トランクのふた１は、後方から前方に向かって回動可能にされると同時に、前方から後方に向かってスライドするようにシャシに取り付けられる。
【００１２】
図１及び図２に示されるように、トランクのふた１の前部１ａは、トランク３の相対する側面に設置された２つのスライドガイド４に連結され、且つ、スライドガイド４に沿ってスライドする。トランクのふた１の少なくとも１つの横方向のエッジ１ｂが、タイロッド５の一方の端部に連結され、タイロッド５の他方の端部は、トランク３の底６に近い車体の一部分に連結される。
【００１３】
図１に示されるように、トランクのふた１は、閉蓋位置、即ち、トランクのふた１の連結部７がスライドガイド４の前端部にあって、タイロッド５が上方前方方向に傾斜している状態から開蓋位置、即ち、トランクのふた１の連結部７がスライドガイド４の後端部にあって、タイロッド５が上方に伸びて、トランクのふたを上方並びに後方に傾いた状態に支持している状態へと移動可能である。
【００１４】
図１及び図２に示されるように、前方下方向に湾曲するグ−ス・ネック型部材８の一端部が、トランクのふた１の前方エッジ１ａの両端部に固定され、このグ−ス・ネック型部材８のトランクのふたと反対側の端部に、近接する側のスライドガイド４内に係合するロ−ラ−９が取り付けられる（図３）。
【００１５】
トランクのふた１は、電気的に又は油圧アクチュエ−タ１０によって開かせることができる。図示した例では、アクチュエ−タ１０は、符号１１、１２で示す部位において、タイロッド５とトランク３の底に近い位置の車体の一部との間に設置されている。
【００１６】
トランクのふた１のバランスをとるために、補助アクチュエ−タ又はスプリングのような補助システムを設置することもできる。トランクのふた１は、その後部位置においてラッチ１３によって閉状態に保持される。ラッチ１３は、手動操作により又は電気的操作によって動作させることができる。もし、それが電気的に操作可能な場合、車内のプッシュボタンで以てラッチ１３を解錠すると共に、電気アクチュエ−タ１０の操作を可能にすることができる。
【００１７】
上記構成の装置は次のように動作する。トランク内に折畳式ル−フ２を格納したり、単に荷物を収納したりする場合には、トランクのふたの解錠をしてアクチュエ−タ１０の操作を行いさえすればよい。アクチュエ−タ１０は、図１に示すように、タイロッド５を傾斜状態にある位置から直立状態にある位置へと押圧する。
【００１８】
タイロッド５が上記２つの位置間を枢動動作することによって、トランクのふた１が上方に回動すると共に後方にスライドする。トランクのふた１は、その後方回動端において、図１に示す距離Ｂ分だけ車体後方に突出し、距離Ａ分だけ上方に突出する。この位置において、トランクのふた１は、トランクの前部に折畳まれたル−フ２を格納するに十分な開口を保持すると共に、トランクの後部に荷物を収納するに十分な開口を保持する。
【００１９】
当然のことながら、本発明は、上述の実施例のみに限定されるものではない。すなわち、本発明の範囲から逸脱することなく、多くの変形を上記実施例に加えることが可能である。
【００２０】
【発明の効果】
本発明は上述した通りであって、多数の複雑な関節結合部を必要としないシンプルな構成であって、製造簡易且つ廉価なコンバ−ティブル型車のトランクのふたを提供し得る効果がある。
【図面の簡単な説明】
【図１】  本発明に係るトランクのふたを備えたコンバ−ティブル型車の概略的な縦断面図である。
【図２】  本発明におけるスライドガイドとそこに設置されるトランクのふたの接続部の構成を詳細に示す図である。
【図３】  図２における矢印Ｆ方向から見た図である。
【符号の説明】
１    トランクのふた
１ａ  前方エッジ
１ｂ  後方エッジ
２    折畳式ル−フ
３    トランク
４    スライドガイド
５    タイロッド
６    底
７    連結部
８    グ−ス・ネック型部材
９    ロ−ラ−
10    油圧アクチュエ−タ
13    ラッチ
【図１】
0004139000.tif 000002
【図２】
0004139000.tif 000003
【図３】
0004139000.tif 000004